(57)【特許請求の範囲】
【請求項１】
鞄本体と、該鞄本体の開口を閉塞可能な蓋体と、該蓋体を閉じて前記鞄本体側に止めるための蓋止め具と、を有する鞄において、
前記蓋止め具が、
前記蓋体の先端側に配置される止め具本体と、前記鞄本体側に配置される受け座部と、を備え、
前記止め具本体が、
前記蓋体の表面に沿って回動可能に前記蓋体に保持される操作レバー部と、
前記蓋体の裏面側に突出するように配置されるとともに、前記操作レバー部の回動に連動可能とされて前記受け座部に形成される被係合部に係合可能とされる係合部と、
を備える構成とされて、
前記係合部が、前記操作レバー部の回動に伴って回動された際に、前記被係合部との係合状態を解除可能に、構成され、
前記蓋体に、前記操作レバー部を前記蓋体に対して回動可能に、前記止め具本体を保持可能な保持部材が、形成され、
前記止め具本体が、前記保持部材に対して着脱可能に構成されるとともに、前記保持部材への取付時に、前記蓋体の表面側に露出される装飾部を、備えることを特徴とする鞄。
【請求項２】
前記止め具本体が、前記操作レバー部及び前記係合部を回動可能に保持させるホルダを、備える構成とされ、
前記保持部材が、前記ホルダを挿通可能な挿通孔を備えるとともに、該挿通孔の周縁に、前記挿通孔に挿通させた状態の前記ホルダを係止可能な係止部材を、配設させていることを特徴とする請求項１に記載の鞄。
【請求項３】
前記ホルダの外周面若しくは前記挿通孔の内周面の一方に、前記ホルダを前記挿通孔に挿通させる際の位置決めとなる突起部が、形成され、
前記ホルダの外周面若しくは前記挿通孔の内周面の他方に、前記突起部を挿入可能な凹部が、形成されていることを特徴とする請求項２に記載の鞄。
【請求項４】
前記係止部材が、前記蓋体の裏面側に形成される操作片により前記挿通孔の内周面から出し入れ可能とされるとともに、前記挿通孔に前記ホルダを挿入させた状態で、前記ホルダに形成される凹部に挿入させるように前記挿通孔の内周面から突出させることにより、前記ホルダを係止可能とされる係止片部を、備える構成とされていることを特徴とする請求項２又は３に記載の鞄。
【請求項５】
前記係合部が、前記被係合部側に突出する突出部を、有し、
前記被係合部が、前記突出部を挿入可能な凹部を、有する構成とされて、
前記突出部の先端側における外周面側に、係合突起が、形成され、
前記凹部の内周面側に、前記係合突起を係合可能とされるとともに、前記係合部の回動時に前記係合突起との係合を解除可能とされる被係合突起が、形成され、
前記係合部と前記被係合部とが、それぞれ、磁石を有する構成とされ、
該磁石が、前記係合突起と前記被係合突起との係合時に、相互に引き合うような磁力を作用させ、前記係合突起と前記被係合突起との係合を解除する方向への前記操作レバー部の回動時に、反発するような磁力を作用させるように、前記係合部と前記被係合部とに配置されていることを特徴とする請求項１乃至４のいずれか１項に記載の鞄。
【請求項６】
前記係合突起が、前記操作レバー部の回転中心を中心として略対称となる２箇所に、形成されて、それぞれ、前記突出部の円周の略１／４程度の領域に、連続的に形成されるとともに、
それぞれ、前記操作レバー部の回転中心軸に沿った断面において、元部側にかけて拡開されるように、外表面を傾斜させて構成され、
前記各被係合突起が、それぞれ、前記操作レバー部の回転中心軸に沿った断面において、内表面を、前記各係合突起の外表面に略沿って傾斜させて構成されるとともに、付勢手段によって前記凹部の内周面から突出するように付勢された状態で、前記凹部の内周面を凹ませて形成される収納部位内に取り付けられていることを特徴とする請求項５に記載の鞄。
【請求項７】
請求項１に記載の鞄が、ランドセルであって、
前記鞄本体が、上方を開口させて構成される略直方体形状とされ、
前記蓋体が、閉じ時の下端側を、前記蓋止め具により、前記鞄本体側に止められる構成とされ、
前記受け座部が、前記鞄本体において後側に配置される後壁の下端側の部位に、配置され、
前記止め具本体が、前記蓋体の表面側に、前記装飾部を露出させるように、配置されていることを特徴とするランドセル。
【発明の詳細な説明】
【技術分野】
【０００１】
本発明は、鞄本体と、鞄本体の開口を閉塞可能な蓋体と、蓋体を閉じて鞄本体側に止めるための蓋止め具と、を有する鞄に関し、特にランドセルに好適な発明である。
【背景技術】
【０００２】
従来、蓋止め具を有する鞄としては、蓋止め具において、蓋体の先端側に配置される止め具本体の操作レバー部に、装飾を施されているランドセルがあった（例えば、特許文献１参照）。
【先行技術文献】
【特許文献】
【０００３】
【特許文献１】特許第５３０１７４３号公報
【発明の概要】
【発明が解決しようとする課題】
【０００４】
この従来のランドセルでは、蓋止め具における止め具本体の操作レバー部に装飾を施すことにより、購入者の目を惹きやすく、また、使用者に一層の使用の楽しみを与えていた。しかしながら、この従来のランドセルでは、止め具本体は、蓋体側に固定されていることから、長期間使用するランドセルの場合、使用者がこのような装飾に飽きてしまう場合があることもあって、止め具本体を蓋体から取り外し可能とする点に、改善の余地があった。
【０００５】
本発明は、上述の課題を解決するものであり、止め具本体を蓋体から取り外して交換可能な鞄を提供することを目的とする。
【課題を解決するための手段】
【０００６】
本発明に係る鞄は、鞄本体と、鞄本体の開口を閉塞可能な蓋体と、蓋体を閉じて鞄本体側に止めるための蓋止め具と、を有する鞄において、
蓋止め具が、
蓋体の先端側に配置される止め具本体と、鞄本体側に配置される受け座部と、を備え、
止め具本体が、
蓋体の表面に沿って回動可能に蓋体に保持される操作レバー部と、
蓋体の裏面側に突出するように配置されるとともに、操作レバー部の回動に連動可能とされて受け座部に形成される被係合部に係合可能とされる係合部と、
を備える構成とされて、
係合部が、操作レバー部の回動に伴って回動された際に、被係合部との係合状態を解除可能に、構成され、
蓋体に、操作レバー部を蓋体に対して回動可能に、止め具本体を保持可能な保持部材が、形成され、
止め具本体が、保持部材に対して着脱可能に構成されるとともに、保持部材への取付時に、蓋体の表面側に露出される装飾部を、備えることを特徴とする。
【０００７】
本発明の鞄では、止め具本体が、操作レバー部を蓋体に対して回動可能とするようにして、蓋体に設けられる保持部材に保持される構成とされ、また、この止め具本体は、保持部材に対して着脱可能に構成されている。そのため、止め具本体を、蓋体側から容易に取り外すことができる。そして、この止め具本体は、保持部材への取付時に、蓋体の表面側に露出される装飾部を、備えていることから、例えば、異なる装飾部を有した複数個の止め具本体を、気分等に応じて、適宜取り替えて使用することも容易に可能となる。
【０００８】
したがって、本発明の鞄では、止め具本体を蓋体から取り外して交換することができる。
【０００９】
具体的には、本発明の鞄において、止め具本体に、操作レバー部及び係合部を回動可能に保持させるホルダを、配設させる構成とし、
保持部材に、ホルダを挿通可能な挿通孔を形成するとともに、挿通孔の周縁に、挿通孔に挿通させた状態のホルダを係止可能な係止部材を、配設させる構成とすることが、好ましい。
【００１０】
上記構成の鞄では、操作レバー部及び係合部を回動可能に保持させるホルダが、止め具本体側に形成されて、ホルダを、保持部材に形成される挿通孔に挿通させて、係止部材により係止させることにより、操作レバー部及び係合部が、蓋体に対して回動可能に、保持部材に保持される構成であることから、保持部材側に、保持部材に保持させた状態の操作レバー部及び係合部を回動させる機構を設ける場合と比較して、構成を簡便にすることができる。
【００１１】
さらに、上記構成の鞄において、ホルダの外周面若しくは挿通孔の内周面の一方に、ホルダを挿通孔に挿通させる際の位置決めとなる突起部を、形成し、ホルダの外周面若しくは挿通孔の内周面の他方に、突起部を挿入可能な凹部を、形成する構成とすれば、装飾部が上下や左右を反転された状態で、止め具本体を保持部材に誤組付してしまうことを、容易に防止できて、好ましい。
【００１２】
さらにまた、上記構成の鞄において、係止部材に、蓋体の裏面側に形成される操作片により挿通孔の内周面から出し入れ可能とされるとともに、挿通孔にホルダを挿入させた状態で、ホルダに形成される凹部に挿入させるように挿通孔の内周面から突出させることにより、ホルダを係止可能とされる係止片部を、配設される構成とすることが、好ましい。
【００１３】
上記構成の鞄では、係止片部を挿通孔の内周面側に引き込んだ状態で、挿通孔にホルダを挿入させ、その後、蓋体の裏面側に形成される操作片を操作することにより、係止片部を挿通孔の内周面から引き出して、凹部に挿入させ、係止片部を凹部周縁に係止させれば、止め具本体を保持部材に保持させることができる。また、逆に、操作片を、係止片部を挿通孔の内周面側に引き込むように操作すれば、係止片部と凹部周縁との係止状態を解除することができて、ホルダを保持部材から取り外すことができる。そのため、止め具本体を、保持部材に容易に着脱させることができる。
【００１４】
さらにまた、上記構成の鞄において、係合部に、被係合部側に突出する突出部を、形成し、
被係合部に、突出部を挿入可能な凹部を、配設させて、
突出部の先端側における外周面側に、係合突起を、形成し、
凹部の内周面側に、係合突起を係合可能とされるとともに、係合部の回動時に係合突起との係合を解除可能とされる被係合突起を、形成し、
係合部と被係合部とが、それぞれ、磁石を有する構成とされ、
磁石が、係合突起と被係合突起との係合時に、相互に引き合うような磁力を作用させ、係合突起と被係合突起との係合を解除する方向への操作レバー部の回動時に、反発するような磁力を作用させるように、係合部と被係合部とに配置される構成とすることが、好ましい。
【００１５】
上記構成の鞄では、止め具本体側に配置される係合突起は、操作レバー部を回動させれば、受け座部側に配置される被係合突起との係合状態を解除されると同時に、両者に配置される磁石間に作用する反発力を受けて、受け座部側から、離れやすくなる。また、係合突起と被係合突起とを係合させる際には、係合部側に形成される突出部を、被係合部側に形成される凹部内に挿入させれば、止め具本体側に配置される磁石が、受け座部側に配置される磁石と引き合って、係合部及び操作レバー部ごと回動されることとなり、このような磁石間に生じる相互に引き合うような磁力を利用して、係合部と被係合部とが、係合突起と被係合突起とを係合させるようにして、半自動的に相互に係合されることとなる。そのため、上記構成の鞄では、止め具本体側と受け座部側とに配置される磁石の磁力を利用して、係合部と被係合部とを係合若しくは係合解除させる構成であることから、係合部と被係合部との係合及び係合解除が容易であり、小学校低学年の小さな子供でも楽に操作することができる。
【００１６】
さらにまた、上記構成の鞄において、係合突起を、操作レバー部の回転中心を中心として略対称となる２箇所に、形成して、それぞれ、突出部の円周の略１／４程度の領域に、連続的に形成するとともに
それぞれ、操作レバー部の回転中心軸に沿った断面において、元部側にかけて拡開されるように、外表面を傾斜させて構成し、
各被係合突起を、それぞれ、操作レバー部の回転中心軸に沿った断面において、内表面を、各係合突起の外表面に略沿って傾斜させて構成するとともに、付勢手段によって凹部の内周面から突出するように付勢された状態で、凹部の内周面を凹ませて形成される収納部位内に取り付ける構成とすることが、好ましい。
【００１７】
上記構成の鞄では、操作レバー部の回転中心を中心として対称的な位置に配置される２対の係合突起及び被係合突起によって、係合状態を安定して維持させることができる。また、上記構成の鞄では、被係合部において、凹部の内周面から突出するように配置される各被係合突起が、付勢手段を介して凹部の内周面を凹ませて形成される収納部位に取り付けられる構成であり、これらの被係合突起を、付勢手段の付勢力に抗して押圧させれば、被係合突起を、収納凹部内に収納させるように移動させることができる。また、この被係合突起の内表面は、係合部に形成される各係合突起の外表面に略沿うように、傾斜して構成されている。そのため、上記構成の鞄では、操作レバー部が非回動の位置にある状態で、止め具本体を受け座部側に接近させても、被係合突起を、凹部内への突出の進入に伴って、係合突起によって押圧することにより、収納部位内に収納させるように移動させることができて、突出部の凹部内への挿入が完了すれば、被係合突起が、付勢手段を復元させるようにして、凹部の内周面から突出するように復帰し、各係合突起に係合されることとなる。すなわち、上記構成の鞄では、操作レバー部（止め具本体）が非回動の位置に配置されている場合でも、操作レバー部を回動させずに、単に、止め具本体の係合部に形成される突出部を、受け座部の被係合部に形成される凹部に挿入させるだけで、係合突起を被係合突起に係合させることができる。また、このとき、係合部と被係合部とにそれぞれ配置される磁石間には、相互に引き合うよう磁力が発生することとなる。そのため、上記構成の鞄では、蓋体の先端側に配置される止め具本体を、鞄本体側に配置される受け座部側に接近させれば、係合部及び操作レバー部がどのような状態であっても、磁石間に生ずる相互に引き合うような磁力により、止め具本体が、半自動的に、突出部を凹部内に挿入させるように移動して、係合突起と被係合突起とが、半自動的に相互に係合されることとなる。その結果、止め具本体の操作性が一層良好となる。
【００１８】
さらにまた、本発明の鞄をランドセルとして、
鞄本体が、上方を開口させて構成される略直方体形状とされ、
蓋体が、閉じ時の下端側を、蓋止め具により、鞄本体側に止められる構成とされ、
受け座部が、鞄本体において後側に配置される後壁の下端側の部位に、配置され、
止め具本体が、蓋体の表面側に、装飾部を露出させるように、配置される構成とすることが好ましい。
【００１９】
ランドセルを上記構成とすれば、使用時にランドセルを背負った際に、止め具本体が、側方から視認可能な位置に、配置されることとなる。すなわち、使用時にランドセルを背負った状態で、装飾部が良好に視認できることとなる。そのため、従来のごとく、蓋体の先端から延びる連結片の先端側に、止め具本体を配置させ、この止め具本体を鞄本体の底壁側に止める構成のランドセルと比較して、意匠性が良好となり、装飾部を配置させる効果も、増大することとなる。
【図面の簡単な説明】
【００２０】
【図１】本発明の一実施形態であるランドセルの斜視図である。
【図２】図１のランドセルにおいて、蓋体を開けた状態を示す斜視図である。
【図３】図１のランドセルにおいて、蓋止め具の部位を示す部分拡大正面図である。
【図４】図３の蓋止め具の部分拡大断面図である。
【図５】実施形態の蓋止め具において、受け座部を示す正面図である。
【図６】図５の受け座部の拡大断面図であり、図５のVI−VI部位に対応する。
【図７】図５の受け座部の拡大断面図であり、図５のVII−VII部位に対応する。
【図８】実施形態の蓋止め具を蓋体側に取り付ける保持部材を示す正面図である。
【図９】図８の保持部材の背面図である。
【図１０】図８の保持部材において、係止片部の係止片本体を挿通孔の内周縁から引き出して突出させた状態を示す背面図である。
【図１１】図８の保持部材の断面図であり、図８のXI−XI部位に対応する。
【図１２】図８の保持部材の断面図であり、図８のXII−XII部位に対応する。
【図１３】図８の保持部材において、係止片部の係止片本体を挿通孔の内周縁から引き出して突出させた状態を示す断面図である。
【図１４】図８の保持部材において、係止片部の部位を示す概略部分拡大横断面図である。
【図１５】実施形態の蓋止め具において、止め具本体を示す図であり、（ａ）に側面図を、（ｂ）に平面図を、示す。
【図１６】図１５の止め具本体の断面を示す図であり、（ａ）に横断面図を、（ｂ）に縦断面図を、示す。
【図１７】実施形態の止め具本体におけるレバー本体を示す図であり、（ａ）に正面図を、（ｂ）にＡ−Ａ部位の断面図を、示す。
【図１８】実施形態の止め具本体における係合部を示す図であり、（ａ）に正面を、（ｂ）にＢ方向側から見た側面図を、（ｃ）にＣ方向側から見た側面図を、示す。
【図１９】図１８の係合部の断面図であり、（ａ）に図１８のＤ−Ｄ部位に対応する図を示し、（ｂ）に図１８のＥ−Ｅ部位に対応する図を示す。
【図２０】実施形態の止め具本体におけるブラケットを示す図であり、（ａ）に正面図を、（ｂ）にＦ方向側から見た側面図を、（ｃ）にＧ方向側から見た側面図を、示す。
【図２１】実施形態の止め具本体におけるホルダを示す図であり、（ａ）に正面図を、（ｂ）に背面図を、（ｃ）に平面図を、（ｄ）に側面図を、（ｅ）にＨ−Ｈ部位の断面図を、（ｆ）にＪ−Ｊ部位の断面図を、示す。
【図２２】実施形態の止め具本体を保持部材に保持させた状態の背面図である。
【図２３】図２２のXXIII−XXIII部位の拡大断面図である。
【図２４】図２２のXXIV−XXIV部位の拡大断面図である。
【図２５】実施形態の止め具本体を保持部材の挿通孔に挿通させる状態を説明する断面図である。
【図２６】実施形態の止め具本体を、係止部材を用いて保持部材に保持させる状態を説明する断面図である。
【図２７】操作レバー部及び係合部の回転状態を説明する概略図である。
【図２８】操作レバー部を受け座部に接近させて係合部と被係合部とを係合させる状態を説明する断面図である。
【図２９】操作レバー部を受け座部に接近させて係合部と被係合部とを係合させる状態を説明する断面図である。
【図３０】他の止め具本体を取り付けた状態を示す蓋止め具の部位を示す部分拡大正面図である。
【発明を実施するための形態】
【００２１】
以下、本発明の一実施形態を図面に基づいて説明する。実施形態では、鞄として、ランドセル１を例に採り説明する。なお、実施形態では、特に断らない限り、ランドセル１の上下前後左右の方向を、人に背負われる状態での上下・前後・左右の方向と一致させて、説明をする。なお、実施形態のランドセル１は、女児用のものである。
【００２２】
ランドセル１は、図１，２に示すように、教科書等を収納可能に上方を開口させて構成される略直方体状の収納部３（鞄本体）と、収納部３の開口３ａを閉塞可能な蓋体６と、蓋体６を閉じて収納部（鞄本体）３側に止めるための蓋止め具２９と、使用時に背負うための２本の背負いベルト７と、を備える構成とされている。
【００２３】
蓋体６は、図２に示すように、収納部３の前上縁側から延びるように構成されるもので、図１に示すように、開口３ａの閉塞時に収納部３の開口３ａから後壁４にかけての略全域にわたって覆い可能とされている。実施形態のランドセル１では、蓋体６は、開口３ａの閉塞時に、先端（下端）６ａ側を、蓋止め具２９によって、収納部３の後壁４に形成されるポケット部５の下端５ａ側に止められる構成とされている（図１，３，４参照）。すなわち、実施形態のランドセル１では、蓋体６を収納部３側に止める蓋止め具２９が、図１に示すごとく、使用時に背負った状態で、視認可能な位置に、配置される構成である。そして、蓋体６の下端６ａ側には、蓋止め具２９の後述する止め具本体４８を保持させるための保持部材９が、配設されている（図１，３，４参照）。
【００２４】
保持部材９は、実施形態の場合、図８〜１２に示すように、蓋体６の表面側に配置される表側板部１０と、蓋体６の裏面側に配置される略楕円形状の裏側板部１１と、を有し、この表側板部１０と裏側板部１１とによって、蓋体６を挟持しつつ、所定箇所をビス（図符号省略）によって連結されることにより、蓋体６に取り付けられている。蓋体６の表面側に配置される表側板部１０は、図８に示すように、外形形状を、ハート形を複数個組み合わせたような板形状とされて、意匠面部１０ａを構成している、形成されている。詳細には、意匠面部１０ａ（表側板部１０）は、中央に、後述する操作レバー部４９の装飾部５１と略相似形として装飾部５１より大きなハート形を配置させ、左右に装飾部５１より小さなハート形を配置させるようにして、形成されている。
【００２５】
また、保持部材９は、図８〜１４に示すように、止め具本体４８の後述するホルダ７２を挿通可能な挿通孔１３と、挿通孔１３の周縁に配置されて挿通孔１３に挿通させた状態のホルダ７２を係止可能な係止部材１８と、を備えている。挿通孔１３は、実施形態の場合、外形形状を、図８に示すように、四隅を面取りされた略正方形状とされている。挿通孔１３の内周面１４における元部側（後端側）には、挿通孔１３に挿通させたホルダ７２を仮止めするための段差部１５が、形成されている（図１１，１２参照）。この段差部１５は、ホルダ７２における後述する取付部７３の外周面７４に形成される段差部７５を当接させることにより、ホルダ７２を挿通孔１３に挿入させた際のホルダ７２の前方移動を規制するもので（図２５参照）、図８に示すように、全周にわたって連続的に形成されている。挿通孔１３の内周面１４において、上縁側部位１４ａには、図８，１１，１２に示すように、ホルダ７２に形成される後述する突起部７６を挿入可能な凹部１６が、形成されている。実施形態の場合、凹部１６は、上縁側部位１４ａの左右の略中央となる位置において、段差部１５の前側の領域を部分的に切り欠くようにして、形成されている。
【００２６】
係止部材１８は、図９，１０，１２〜１４に示すように、挿通孔１３の内周面１４において、左縁側部位１４ｂと右縁側部位１４ｃとの２箇所に、対称的に配置されるもので、それぞれ、左縁側部位１４ｂ若しくは右縁側部位１４ｃを凹ませるようにして形成される収納用凹部１９に対して出し入れ可能に取り付けられる係止片部２５を、備える構成とされている。係止片部２５は、図１４に示すように、収納用凹部１９内に収納されて収納用凹部１９内をスライド移動する収納片部２６と、収納片部２６の左右の内方の縁部から左右の内方に突出するように形成される係止片本体２７と、を備えている。収納片部２６は、上下方向側の幅寸法を、挿通孔１３の上下方向側の開口幅寸法よりも、若干小さく設定されるとともに、収納用凹部１９の後述する開口部２２を挿通不能な幅寸法に、設定されている。係止片本体２７は、上下方向側の幅寸法を、収納片部２６の上下方向側の幅寸法より小さく設定されて、収納用凹部１９の開口部２２を挿通可能な幅寸法であって、かつ、ホルダ７２に形成される後述する凹部７７内に挿入可能な幅寸法に、設定されている。実施形態の場合、係止片部２５は、図１４に示すように、外形形状を略「凸」形に近似した板状とされている。この係止片部２５は、収納用凹部１９内に引き込まれた収納状態では、係止片本体２７の先端を、図１２，１４に示すように、挿通孔１３の内周面１４よりも内方に突出させず、挿通孔１３の内周面１４と略面一となる位置に位置させるように、構成されている。また、係止片部２５は、係止片本体２７を収納用凹部１９から突出させるように引き出された状態で、係止片本体２７の先端を、ホルダ７２に形成される後述する凹部７７内に挿入させるように、構成されている。
【００２７】
また、各係止片部２５の収納片部２６には、蓋体６を閉じた状態での前面側に、前方に突出するように形成される操作片２６ａが、形成されている。各操作片２６ａは、図９，１０，１２，１３に示すように、収納用凹部１９における後述する凹部本体２０の前面２０ａ側を開口させるように形成される操作片操作用の窓部２１から、露出して配置されている。また、実施形態の場合、各操作片２６ａは、図９，１０に示すように、上下方向に略沿うような長尺状として、構成されている。この操作片２６ａの収納片部２６からの突出量は、端面を、窓部２１の周縁部位を構成している裏側板部１１の前面と略面一となる位置に配置させるように、設定されている（図１２，１３参照）。また、各収納片部２６において、蓋体６を閉じた状態での後面側には、係止片部２５を収納用凹部１９内に引き込んだ状態で、収納用凹部１９の前面２０ａ側の部位に配置される後述する突起２３ａを挿入可能な挿入用凹部２６ｂが、収納片部２６を部分的に凹ませて形成されている（図１２，１３参照）。また、各収納片部２６において、挿入用凹部２６ｂの左右方向の外方には、係止片本体２７を収納用凹部１９から突出させるように引き出した状態での突起２３ａを挿通可能な挿通孔２６ｃが、収納片部２６を貫通して形成されている。実施形態の場合、挿通孔２６ｃは、収納片部２６の上下左右の略中央となる位置に、形成され、挿入用凹部２６ｂは、挿通孔２６ｃの左右の内方に隣接して、形成されている。
【００２８】
各係止片部２５を収納させる収納用凹部１９は、挿通孔１３の内周面１４における左縁側部位１４ｂと右縁側部位１４ｃとを、それぞれ凹ませるようにして形成されるもので、図１４に示すように、各係止片部２５の収納片部２６を収納させる凹部本体２０と、凹部本体２０の左右の内方において挿通孔１３に連通されるとともに係止片本体２７を挿通可能とされる開口部２２と、を備えている。開口部２２は開口幅寸法を、凹部本体２０より狭幅として、係止片本体２７のみを挿通可能で、収納片部２６を挿通不能に、構成されている。凹部本体２０の前面２０ａ側には、収納片部２６に形成される操作片２６ａを露出させるための窓部２１が、開口して形成されている（図９，１０，１２，１３参照）。この窓部２１は、操作片２６ａを操作させて係止片部２５を左右方向側にスライド移動可能に、長方形状に開口して、形成されている。また、窓部２１の外周縁２１ａは、操作片２６ａのスライド移動時に、指で操作片２６ａを引っ掛けやすいように、内側を後方に位置させ外側を前方に位置させるようなテーパ面状とされている。凹部本体２０の後面２０ｂ側には、図１２，１３に示すように、係止片部２５（収納片部２６）の移動を規制するストッパ部２３が、配置されている。ストッパ部２３の前面側には、収納片部２６に形成される挿入用凹部２６ｂと挿通孔２６ｃとに挿入可能とされて、これらの挿入用凹部２６ｂの周縁や挿通孔２６ｃの周縁に係止可能な突起２３ａが、略半球状に突出して形成されている。ストッパ部２３は、凹部本体２０の後面２０ｂをさらに凹ませるようにして形成される収納凹部２０ｃ内に収納されるとともに、この収納凹部２０ｃに対して、図示しない付勢手段を利用して、突起２３ａを前面側に突出させるように付勢された状態で、保持されている。なお、この突起２３ａの突出量（挿入用凹部２６ｂ若しくは挿通孔２６ｃへの係止量）は、小学生の子供であっても、操作片２６ａを、指で左右方向に沿って（収納片部２６に沿って）押圧すれば、係止状態を解除されて、係止片部２５をスライド移動可能な程度に、設定されている。
【００２９】
各係止片部２５は、突起２３ａを挿入用凹部２６ｂ内に挿入させるようにして収納用凹部１９内に収納された状態から、操作片２６ａを左右方向の内方に向かって押圧すれば、突起２３ａと挿入用凹部２６周縁との係止状態が解除されることとなり、ストッパ部２３は、収納凹部２０ｃ内に収納されるように移動することとなる。そして、操作片２６ａを左右方向の内方に向かってスライド移動させることにより、係止片本体２７を開口部２２から突出させ、突起２３ａが挿通孔２６ｃの位置に到達すれば、図示しない付勢手段の付勢力により、突起２３ａが挿通孔２６ｃに挿入されて挿通孔２６ｃ周縁に係止されることとなり、係止片本体２７の引き出しが完了することとなる。係止片本体２７を逆に引き込む際には、操作片２６ａを左右の外方に向かって押圧すれば、突起２３ａと挿通孔２６ｃ周縁との係止状態が解除されることとなり、操作片２６ａを左右方向の外方に向かってスライド移動させれば、係止片本体２７を開口部２２内に収納させることができる。
【００３０】
蓋止め具２９は、図４に示すように、蓋体６の先端６ａ側に配置される止め具本体４８と、鞄本体としての収納部３側に配置される受け座部３０と、を備えている。
【００３１】
受け座部３０は、実施形態の場合、図２に示すように、収納部３の後壁４に形成されるポケット部５の下端５ａ側の後面側に取り付けられている。実施形態の場合、受け座部３０は、表面にソフトニッケルメッキを施した合成樹脂製（ＡＢＳ樹脂製）とされて、外形形状を、図２，５に示すように、四隅を面取りされた略正方形状の四角形を９０°回転させた略菱形状として、構成されている。実施形態の場合、受け座部３０は、図６，７に示すように、収納部３におけるポケット部５の後面側に露出して配置される受け座部本体３１と、被係合部３７における凹部３８の底面３８ｂ側の部位を構成する底壁部材３２と、底壁部材３２において磁石４５を収納させる部位の前面側を覆う蓋部材３４と、外形形状を受け座部本体３１と略同一とされてポケット部５の内側に配置される裏板部材３５と、の４つの部材を有する構成とされている。そして、実施形態の受け座部３０は、ポケット部５の内部に配置される裏板部材３５と受け座部本体３１とによって、ポケット部５を挟持しつつ、所定箇所をビス（図符号省略）によって連結されることにより、ポケット部５に取り付けられている。実施形態の場合、受け座部３０には、図５に示すように、被係合部３７が、上下方向に沿った２個並設されている。
【００３２】
各被係合部３７は、図６に示すように、それぞれ、受け座部３０を後面側から略円筒状に凹ませて形成される凹部３８と、凹部３８の内周面３８ａ側において内方に突出するように形成される被係合突起４０と、凹部３８の底面３８ｂ側に配置される磁石４５と、を備えている。各凹部３８は、止め具本体４８側に形成される突出部６１を挿入可能な大きさに設定されるもので、実施形態の場合、２つの凹部３８，３８は、一部の領域を共有するように、前後の全域にわたって上下で連通されている（図５参照）。被係合突起４０は、止め具本体４８側の係合部６０に形成される係合突起６２に対応して配置されるもので、実施形態の場合、図５〜７に示すように、各凹部３８の中心軸の左右両側となる２箇所（係合部６０を取り付けた状態での操作レバー部４９の回転中心Ｃ１を中心として点対称、実施形態の場合、左右対称となる２箇所）に、形成されている。これらの被係合突起４０は、各凹部３８の内周面３８ａを構成する部位であって、凹部３８の中心軸の左右両側となる位置において、収納部位３７ａ内に配置されている（図７参照）。被係合突起４０を収納させる収納部位３７ａは、それぞれ、凹部３８の内周面３８ａを凹ませるようにして形成されている。詳細には、各被係合突起４０は、図７に示すように、凹部３８の内周面３８ａから内方に突出する突起本体４１と、収納部位３７ａ内に配置される取付部４２と、を備える構成とされており、収納部位３７ａの底部３７ｂとの間に、突起本体４１を凹部３８の内周面３８ａから突出させるように付勢させる付勢手段としてのコイルばね４３を、介在させ、このコイルばね４３を介して、収納部位３７ａの底部３７ｂに取り付けられている。コイルばね４３は、被係合突起４０を左右の外方（収納部位３７ａの内方）に押圧した際に、付勢力に抗して、被係合突起４０の突起本体４１全体を、収納部位３７ａ内に収納させるように圧縮可能に、構成されている（図２８参照）。各被係合突起４０において、突起本体４１は、図７に示すように、操作レバー部４９の回転中心軸に沿った断面（前後方向に沿った断面）において、前端（元部）側の取付部４２からの突出量を大きくするように、内表面４１ａ側を、後端（先端）側を左右の外方に向けるようにして、前後方向に対して傾斜させて、構成されている。この突起本体４１の内表面４１ａの傾斜は、図２８に示すように、係合突起６２の外表面６２ａの傾斜に略沿うように、構成されている。また、突起本体４１の前端（元部）側の端面４１ｂは、左右方向に略沿うように、形成されており、この端面４１ｂを、係合突起６２の元部側の端面６２ｂと相互に係止させることにより、被係合突起４０の突起本体４１は、係合突起６２と係合される構成である（図４参照）。
【００３３】
磁石４５は、実施形態の場合、凹部３８の底面３８ｂを構成する底壁部材３２に形成される磁石収納部３３内に収納されて、凹部３８の底面３８ｂ側に配置されている。底壁部材３２に形成される磁石収納部３３は、底壁部材３２を部分的に後方に突出させるようにして形成されて、磁石４５の外周側を略隙間なく覆うとともに、外形形状を略円柱状とされている（図５〜７参照）。また、図５〜７に示すように、磁石収納部３３の後面３３ａ側における中央付近には、前方に向かって略半球状に凹むような凹部３３ｂが、形成されている。凹部３３ｂの周縁部位３３ｃは、段差状として僅かに後方に突出するように形成されている。この凹部３３ｂは、係合部６０の磁石収納部６７に形成される突起部６７ｂに対応して形成されるもので、実施形態の場合、内部に突起部６７ｂを収納させた状態で、突起部６７ｂの周縁部位６７ｃを、周縁部位３３ｃに当接させるように、構成されている（図４参照）。磁石４５は、図５に示すように、長手方向を左右方向に沿わせた略直方体として、中心を、凹部３８の中心（操作レバー部４９の回転中心Ｃ１）と略一致させるようにして、凹部３８の底面３８ｂ側に配置されている。実施形態の場合、磁石４５は、上下で極を異ならせており、図５に示すように、下側半分の領域をＮ極４５Ｎとし、上側半分の領域をＳ極４５Ｓとされている。また、磁石４５の前面側は、図６，７に示すように、蓋部材３４によって覆われている。
【００３４】
止め具本体４８は、図２２〜２４に示すように、蓋体６の表面側に配置される操作レバー部４９と、蓋体６の裏面側に突出するように配置される係合部６０と、操作レバー部４９と係合部６０とを回動可能に保持させるホルダ７２と、を備えている。実施形態の場合、止め具本体４８は、ホルダ７２を、図２３，２４に示すように、蓋体６側に形成される保持部材９に保持させることにより、操作レバー部４９及び係合部６０を、蓋体６に対して回動可能とされている。なお、実施形態では、操作レバー部４９を構成するレバー本体５０及びブラケット５４と、係合部６０と、に関しては、非回動の状態を基準として、部材の配置部位を説明する。
【００３５】
操作レバー部４９は、図１５，１６に示すように、レバー本体５０と、レバー本体５０に係合部６０を取り付けるためのブラケット５４と、を備える構成とされている。レバー本体５０は、受け座部３０と同様に、表面にソフトニッケルメッキを施した合成樹脂製（ＡＢＳ樹脂製）とされて、図１７に示すように、ハート形の扁平な立体形状とされる装飾部５１と、装飾部５１から前方（受け座部３０側）に突出するリブ部５３と、を備える構成とされている。この装飾部５１は、止め具本体４８を保持部材９に取り付けた際に、図３に示すように、保持部材９の意匠面部１０ａ側（蓋体６の表面側）に露出して配置されるもので、操作レバー部４９の操作時に把持される部位でもある。装飾部５１における表面（後面）側の中央には、係合部６０を取り付けるためのブラケット５４を取り付け、かつ、装飾用のラインストーン５８を収納させるための収納凹部５２が、後面側から凹ませるようにして、形成されている。収納凹部５２は、装飾部５１の表面（後面）を断面略円柱状に凹ませて構成されるもので、底面に、係合部６０を取り付けるためのブラケット５４の２つの係止脚部５６，５６を挿通させるための挿通孔５２ａ，５２ａを、配置させている。挿通孔５２ａは、断面略円弧状に湾曲して形成される係止脚部５６を挿通可能に、開口形状を、操作レバー部４９の回転中心Ｃ１を中心とした略円弧状に湾曲させて構成されている（図１７の（ａ）参照）。各挿通孔５２ａは、操作レバー部４９の回転中心Ｃ１を中心とした点対称形とされて、実施形態の場合、ブラケット５４に形成される係止脚部５６を係止させるために係合部６０に形成される係止穴６５の位置に対応して、左斜め上方と右斜め下方となる位置に、形成されている。
【００３６】
リブ部５３は、レバー本体５０において、装飾部５１における収納凹部５２を構成する部位の前面から前方に突出するように、形成されている。詳細には、実施形態の場合、リブ部５３は、図１７の（ａ）に示すように、挿通孔５２ａ，５２ａ間の中央を通るような略板状として（後方から見て左右方向に対して右側を上方に向けるように傾斜して配置され）、収納凹部５２の幅方向の略全域にわたって、配置されている。このリブ部５３は、先端５３ａ（前端）側にかけて僅かに狭幅となるように形成されるとともに、先端５３ａ側を断面略半円形状に湾曲させて構成されている。リブ部５３は、長さ寸法を、係合部６０の外径寸法より大きく設定されて、かつ、ホルダ７２の後述する挿通孔７９に挿通可能な寸法に、設定されている。このリブ部５３は、係合部６０に配置される磁石６９との間の隙間を埋めるためのものであり、突出高さを、先端５３ａ（前端）を磁石６９に当接可能な寸法に、設定されている。すなわち、このリブ部５３は、先端５３ａを磁石６９と当接させることにより（図１６参照）、使用時に、磁石６９が上下に動くことを防止するストッパの役目も果たしている。
【００３７】
ブラケット５４は、図２０に示すように、収納凹部５２内に配置される平板状の基部５５と、基部５５から前方に延びる２つの係止脚部５６，５６と、を備えている。実施形態の場合、ブラケット５４は、耐久性の良好なポリアセタール樹脂から形成されている。係止脚部５６は、図１６の（ｂ）に示すように、収納凹部５２に形成される挿通孔５２ａに挿通されるもので、係止脚部５６の先端（前端）側には、図１６の（ｂ）に示すように、係合部６０に形成される係止穴６５に係止される突出片５６ａが、外方に突出するように、形成されている。
【００３８】
また、実施形態の操作レバー部４９では、レバー本体５０の収納凹部５２に、キャップ部５７を介して、装飾用のラインストーン５８を収納させている。キャップ部５７は、図１６に示すように、ブラケット５４の基部５５の後面側を覆いつつ、収納凹部５２と基部５５との間の隙間を埋めるように配置されるもので、レバー本体５０と同様に、表面にソフトニッケルメッキを施した合成樹脂製（ＡＢＳ樹脂製）とされている。ラインストーン５８は、実施形態の場合、ピンク色の合成樹脂製として、図３に示すように、外形形状を略ハート形として、キャップ部５７に貼着されている。
【００３９】
係合部６０は、ブラケット５４と同様に、ポリアセタール樹脂から形成されるもので、図１６の（ｂ）に示すように、操作レバー部４９のレバー本体５０から延びるブラケット５４の係止脚部５６を利用して、操作レバー部４９を連結させている。係合部６０は、磁石６９を有するとともに、外形形状を略円筒状として構成されて（図１８，１９参照）、図１６に示すように、先端側（前端６０ａ側）の一部を、ホルダ７２から突出させるようにして、ホルダ７２に保持されている。詳細には、係合部６０は、図１９に示すように、前後の中央よりやや前方となる位置に、内部に磁石を収納させる磁石収納部６７を、後方を開口させて配置させ、この磁石収納部６７以外の部位を、略筒状として構成されている。磁石収納部６７は、磁石６９の外周側を隙間なく覆い可能に、磁石６９の外形形状にあわせて略直方体状に切り欠かれて構成されており、磁石収納部６７の前方（受け座部３０側）は、閉塞されている。磁石収納部６７の前面６７ａ側における中央付近には、図１９，２２に示すように、前方に向かって略半球状に突出する突起部６７ｂが形成され、この突起部６７ｂの周縁部位６７ｃも、段差状として、前面６７ａにおける他の部位よりもわずかに前方に突出するように形成されている。この突起部６７ｂは、被係合部３７における磁石収納部３３の後面３３ａに形成される凹部３３ｂ内に収納可能に構成されるもので、上述したように、突起部６７ｂを凹部３３ｂ内に収納させた状態で、各周縁部位３３ｃ，６７ｃが相互に当接するように構成されている。すなわち、実施形態では、係合突起６２を被係合突起４０と係合させた際に、各周縁部位３３ｃ，６７ｃが、相互に当接されることとなり、磁石収納部３３，６７におけるその周囲の部位には、間に僅かに隙間が設けられることとなる（図４参照）。また、係合部６０は、前端６０ａ側と後端６０ｂ側とを開口させて構成されている（図１９参照）。
【００４０】
そして、実施形態の係合部６０では、ホルダ７２から前方に突出している部位を、被係合部３７の凹部３８内に挿入可能な突出部６１としている（図１６参照）。係合部６０の前端６０ａ側（突出部６１の先端６１ａ側）には、被係合部３７の被係合突起４０に係合される係合突起６２が、図１８，１９に示すように、突出部６１の外周面６１ｂから外方に突出するように、形成されている。係合突起６２は、操作レバー部４９の回転中心Ｃ１（突出部６１の中心）を中心として略対称となる２箇所に形成されるもので、実施形態の場合、操作レバー部４９の回転中心Ｃ１を中心として点対称として、それぞれ、突出部６１の円周の略１／４程度の領域にわたって、連続的に、形成されている（図１８の（ａ）参照）。実施形態の場合、各係合突起６２は、非回動の状態で左右対称形とされておらず、左右対称となる位置に配置される各被係合突起４０の突起本体４１に対する係合を、それぞれ、操作レバー部４９（係合部６０）を右側に９０°回転させた際に解除されるように、構成されている。具体的には、右側の係合突起６２Ｒは、図１８の（ａ）に示すように、上下の中央より上方に大きく延びるように配置され、左側の係合突起６２Ｌは、上下の中央より下方に大きく延びるように配置されている。また、各係合突起６２は、外表面６２ａを、操作レバー部４９の回転中心Ｃ１に沿った断面（左右方向に沿った断面）において、後端（元部）側の突出部６１からの突出量を大きくするように、前端（先端）側を左右の内方に向けるようして、前後方向に対して、傾斜させて構成されている（図１９の（ｂ）参照）。また、係合突起６２の後端（元部）側の端面６２ｂは、左右方向に略沿うように形成されており、この端面６２ｂを、被係合突起４０における突起本体４１の元部側の端面４１ｂと相互に係止させることにより、被係合突起４０を係合させる構成である。また、突出部６１における前端側の部位は、係合突起６２と被係合突起４０とを係合させた際に、被係合部３７の磁石収納部３３を挿入可能な凹状とされている。
【００４１】
係合部６０の後端６０ｂ側には、図１６の（ｂ）に示すように、ホルダ７２に形成される段差部８０に係止される係止爪部６４が、形成されている。この係止爪部６４は、係合部６０の後端６０ｂ側を部分的に外方へ突出させるようにして形成されるもので、元部側（前端側）の外方への突出量を大きくして、先端側（後端側）にかけて収束するように構成されている（図１９の（ａ）参照）。実施形態の場合、係止爪部６４は、前後方向側からの投影状態の係合部６０において、係合突起６２の配置されない領域に形成されており（図１８の（ａ）参照）、操作レバー部４９の回転中心Ｃ１（突出部６１の中心）を中心として、点対称形となるように、形成されている。実施形態の場合、係止爪部６４は、前後方向側から見て、ブラケット５４の係止脚部５６と略一致した位置に、形成されている。この係止爪部６４は、元部側の端面６４ａを、段差部８０の前面８０ｃに当接させることにより、係合部６０のホルダ７２に対する前方移動を規制すると同時に、操作レバー部４９の回動時に、段差部８０の周方向の端面８０ａ，８０ｂ（図２１の（ａ），（ｅ），（ｆ）参照）に当接させることにより、さらなる操作レバー部４９の回転移動を防止するストッパとしての役割も果たしている。
【００４２】
また、実施形態の係合部６０において、係止爪部６４の前方となる位置には、操作レバー部４９のブラケット５４の係止脚部５６の先端（前端）側に配置される突出片５６ａを係止可能な係止穴６５が、形成されている（図１８の（ｂ）及び図１９の（ａ）参照）。この係止穴６５は、図１６の（ｂ）に示すように、係合部６０の内周側を通るように配置される係止脚部５６の先端から外方に突出するように形成される突出片５６ａを周縁で係止可能に、貫通して形成されている。また、詳細には、係止穴６５は、磁石収納部６７と隣接して、形成されている。そして、実施形態では、ブラケット５４の係止脚部５６の先端側に形成される突出片５６ａを係止穴６５の周縁に係止させることにより、操作レバー部４９と係合部６０とが連結され、操作レバー部４９の回動時に、係合部６０も連動して、蓋体６における保持部材９の表面に沿って回動されることとなる。また、係合部６０には、操作レバー部４９のレバー本体５０に形成されるリブ部５３を挿入可能な挿入凹部６６が、後端６０ｂ側から切り欠かれて、形成されている（図１８の（ｃ）及び図１９の（ａ）参照）。
【００４３】
磁石収納部６７内に収納される磁石６９は、被係合部３７に配置される磁石４５と同一の大きさのものを使用されており、長手方向を左右方向に沿わせた略直方体状として、中心を、係合部６０の中心軸（操作レバー部４９の回転中心Ｃ１）と略一致させるようにして、磁石収納部６７内に収納されている。この磁石６９は、前後方向側から見た状態で、被係合部３７側の磁石４５と略一致して、この被係合部３７側に配置される磁石４５との間に、相互に引き付け合うような磁力を作用させるように、配置されている。実施形態の場合、磁石６９は、上下で極を異ならせており、下側半分の領域をＳ極６９Ｓとし、上側半分の領域をＮ極６９Ｎとされている（図２２参照）。
【００４４】
操作レバー部４９と係合部６０とを回動可能に保持させるホルダ７２は、ＡＢＳ樹脂から形成されている。ホルダ７２は、図２１に示すように、保持部材９に形成される挿通孔１３に挿通されてこの挿通孔１３周縁に取り付けられる取付部７３と、取付部７３から前方に延びて係合部６０の外周側を覆うカバー部８２と、を備えている。取付部７３は、保持部材９の挿通孔１３に対応して、外形形状を、略四角柱状とされるとともに、中央に、係合部６０を挿通可能な挿通孔７９を、貫通させて構成されている。カバー部８２は、この挿通孔７９の周縁から前方に延びて、係合部６０の前部側の領域の外周側を覆うように、略円筒状とされている。
【００４５】
取付部７３は、外周面７４における元部側（後端側）の部位に、保持部材９における挿通孔１３の内周面１４に形成される段差部１５に当接可能な段差部７５を、全周にわたって配置させている（図２１の（ｂ）参照）。また、取付部７３の外周面７４における上側部位７４ａには、挿通孔１３の内周面１４に形成される凹部１６に挿入可能とされる突起部７６が、形成されている（図２１の（ｃ）及び（ｄ）参照）。実施形態の場合、突起部７６は、上側部位７４ａの左右の略中央において、段差部７５から連なって前方に延びるように、形成されている。この突起部７６と、挿通孔１３に形成される凹部１６と、は、ホルダ７２を挿通孔１３に挿通させる際の位置決めを構成している。取付部７３の外周面７４における左側部位７４ｂと右側部位７４ｃとには、係止片部２５における係止片本体２７を挿入可能な凹部７７が、外周面７４を凹ませるようにして形成されている。凹部７７は、図２１の（ｄ）に示すように、上下方向に略沿った長尺状として構成されるもので、実施形態の場合、挿通孔７９に連通されるように、貫通して、形成されている（図２１の（ｆ）参照）。また、取付部７３の後面７３ａ側において、挿通孔７９の周縁となる部位には、図２１の（ａ），（ｅ），（ｆ）に示すように、部分的に段差状に切り欠かれる段差部８０が、形成されている。この段差部８０は、図１６の（ｂ）に示すように、係合部６０の後端６０ｂ側に形成される係止爪部６４を係止させるためのもので、係止爪部６４に対応して、挿通孔７９の中心（操作レバー部４９の回転中心Ｃ１）を中心として点対称となるように、形成されている（図２１の（ａ）参照）。これらの段差部８０は、挿通孔７９の周縁に、連続的に形成されており、操作レバー部４９の回動時に、周方向に沿った両側の端面８０ａ，８０ｂ（図２１の（ａ）参照）に係止爪部６４を当接させることにより、係合部６０及び操作レバー４９部のさらなる回転を規制可能な構成とされている。実施形態の止め具本体４８では、この段差部８０により、操作レバー部４９（係合部６０）の回動範囲が規定されている。具体的には、実施形態の場合、段差部８０は、操作レバー部４９を、係合突起６２と被係合突起４０とを係合させている非回転位置よりも、使用者側から見て（後側から見て）右方の角度領域のみにおいて、係合突起６２と被係合突起４０との係合を解除する方向である右方と、係合突起６２と被係合突起４０とを係合させる左方と、に、回転可能で、かつ、回転角度を９０°とするように、構成されている。
【００４６】
カバー部８２の前端８２ａ側は、図２１の（ｄ），（ｅ），（ｆ）に示すように、左右両側の部位を、部分的に連続的に切り欠かれている。これらの切欠部８３は、カバー部８２の中心（操作レバー部４９の回転中心Ｃ１）を中心として点対称形（実施形態の場合、左右対称となる位置）に形成されるもので、非回動の状態の係合部６０における係合突起６２の後側となる位置に、配置されている（図１５の（ａ）及び図１６の（ａ）参照）。この切欠部８３は、周方向に沿った長さ寸法（開口幅寸法）を、被係合突起４０の突起本体４１を挿入可能な寸法に設定されるもので、係合突起６２と被係合突起４０との係合時には、これらの切欠部８３の部位に、被係合突起４０の突起本体４１が、配置されることとなる（図４参照）。また、各切欠部８３は、周方向に沿った長さ寸法を、係合突起６２の周方向に沿った長さ寸法より小さく設定されている。詳細には、実施形態の場合、各切欠部８３は、図２１の（ｂ）に示すように、中心角を５０°程度とした弧の領域を、切り欠くようにして、形成されている。すなわち、係合突起６２は、いずれの状態においても、前後方向側から見て、カバー部８２において切欠部８３を備えていない部位（切り欠かれていない一般部８４）と、重なる領域を有している（図１５，１６参照）。カバー部８２における一般部８４は、係合突起６２の後端（元部）側の端面６２ｂと常時当接するもので、係合部６０のホルダ７２に対する後方移動を規制するストッパとして、作用している。
【００４７】
次に、実施形態のランドセル１において、止め具本体４８の保持部材９に対する着脱について、説明をする。止め具本体４８を保持部材９に保持させた状態から、蓋体６の裏面側に露出して配置される各係止片部２５の操作片２６ａを、指等によって、それぞれ、左右の外方にスライド移動させれば、係止片部２５が、挿通孔１３の内周面１４側に形成される収納用凹部１９内に引き込まれることとなって、係止片本体２７と、止め具本体４８のホルダ７２に形成される凹部７７周縁と、の係止状態を解除されることとなる。そして、止め具本体４８を挿通孔１３から引き抜けば、保持部材９から取り外すことができる。逆に、取り外した止め具本体４８を保持部材９に再度保持させる際には、図２５に示すように、止め具本体４８のホルダ７２を、外周面７４に形成される突起部７６を挿通孔１３の内周面１４に形成される凹部１６に挿入させるようにして、段差部１５，７５相互を当接させるように、挿通孔１３に挿入させ、その後、図２６に示すように、係止片部２５の操作片２６ａを、それぞれ、左右の内方にスライド移動させれば、係止片部２５の係止片本体２７が、収納用凹部１９の開口部２２から突出されて、挿通孔１３の内周面１４から引き出され、ホルダ７２に形成される凹部７７内に挿入されることとなり、係止片本体２７を凹部７７周縁に係止させることができて、止め具本体４８を保持部材９に保持させることができる。
【００４８】
次に、実施形態のランドセル１において、蓋止め具２９を用いた蓋体６の収納部３への着脱について説明をする。蓋体６を収納部３に取り付けられた状態、すなわち、係合突起６２と被係合突起４０とを係合させた操作レバー部４９の非回動の状態では、係合部６０側（止め具本体４８側）に配置される磁石６９と、被係合部３７側（受け座部３０側）に配置される磁石４５と、は、図２７のＡに示すように、極を前後で逆にして、両者の間に、前後方向側から見た状態で、全面にわたって相互に引き合うような磁力（吸着磁力）を作用させて、配置されている。また、実施形態のランドセル１では、各磁石４５，６９は、図４に示すように、周囲を覆う磁石収納部３３，６７を、間に僅かに隙間を設けるように近接して配置され、各磁石４５，６９の間には、それぞれ、磁石収納部３３，６７が介在されるのみであることから、磁石４５，６９間には強力に引き合うような磁力が作用している。また、このとき、被係合突起４０の突起本体４１は、図２７のＡに示すように、周方向の全域にわたって、係合突起６２と係合されている。そして、この状態から、操作レバー部４９を右側に回転させれば、操作レバー部４９に連動して係合部６０及び磁石６９も右側に回転されることとなり、磁石４５，６９間には、この操作レバー部４９の回転に伴って、相互に反発させるような磁力（反発磁力）の作用する面（図２７の網掛け部分参照）が、図２７のＢ，Ｃに示すように、徐々に増加していく。そして、回転角度が９０°に到達した時点で、磁石４５，６９における吸着磁力の作用する面と反発磁力の作用する面との面積が略同一となり（図２７のＤ参照）、このとき、係合突起６２の右側への回転により、係合突起６２と被係合突起４０の突起本体４１との係合状態も、完全に解除されることとなる。そして、磁石４５，６９における吸着磁力の作用する面と反発磁力の作用する面との面積が略同一となることにより、磁石４５，６９間に生ずる反発磁力が、係合部６０を、被係合部３７から浮き上がらせるように、半自動的に移動させることとなって、止め具本体４８が、保持部材９及び蓋体６ごと受け座部３０から浮き上がるような態様となって、蓋体６を収納部３から取り外すことができる。
【００４９】
逆に、蓋体６を収納部３に取り付ける際には、操作レバー部４９が回動された状態では、止め具本体４８を受け座部３０に接近させ、係合部６０の突出部６１を被係合部３７の凹部３８内に挿入させれば、図２８に示すように、被係合突起４０の突起本体４１が、凹部３８からの突出状態を維持されたまま、カバー部８２の切欠部８３内に挿入されることとなる。そして、操作レバー部４９が、係合部６０側に配置される磁石６９によって、相互に引き合うような吸着磁力を受けて、半自動的に、非回動状態に戻るように、左側に回転されつつ、この係合部６０側の磁石６９を、磁石収納部３３，６７を介して、被係合部３７側の磁石４５と当接させることとなる。そして、この係合部６０側の磁石６９の回転に伴って、係合部６０も左側に回転されることとなり、係合部６０に配置される係合突起６２が、被係合部３７に配置される被係合突起４０の突起本体４１と係合されることとなり、蓋体６を収納部３に取り付けることができる。
【００５０】
また、蓋体６を収納部３に取り付ける際において、操作レバー部４９が非回動の位置に戻っている状態では、止め具本体４８をそのまま受け座部３０に接近させれば、磁石４５，６９が相互に引き合うこととなり、係合部６０の突出部６１が、この磁石４５，６９間に生じる吸着磁力を受けて、被係合部３７の凹部３８内に挿入されることとなる。このとき、図２９に示すように、係合部６０に形成される係合突起６２によって、被係合部３７に形成される被係合突起４０を、コイルばね４３を圧縮させるようにして外方へ押圧しつつ、突出部６１が凹部３８内に進入することとなる。そして、磁石４５，６９相互が、磁石収納部３３，６７を介して当接されれば、コイルばね４３が復元して、被係合突起４０が定常位置に復帰することとなり、係合部６０に配置される係合突起６２が、被係合部３７に配置される被係合突起４０の突起本体４１と係合されることとなって、蓋体６を収納部３に取り付けることができる。
【００５１】
実施形態のランドセル１では、止め具本体４８が、操作レバー部４９を蓋体６に対して回動可能とするようにして、蓋体６に設けられる保持部材９に保持される構成とされ、また、この止め具本体４８は、保持部材９に対して着脱可能に構成されている。そのため、止め具本体４８を、蓋体６側から容易に取り外すことができる。そして、この止め具本体４８は、保持部材９への取付時に、蓋体６の表面側に露出される装飾部５１を、備えていることから、例えば、異なる装飾部を有した複数個の止め具本体を、気分等に応じて、適宜取り替えて使用することも容易に可能となる。
【００５２】
したがって、実施形態のランドセル１では、止め具本体４８を蓋体６から取り外して交換することができる。
【００５３】
また、実施形態のランドセル１では、操作レバー部４９及び係合部６０を回動可能に保持させるホルダ７２が、止め具本体４８側に形成されて、ホルダ７２を、保持部材９に形成される挿通孔１３に挿通させて、係止部材１８により係止させることにより、操作レバー部４９及び係合部６０が、蓋体６に対して回動可能に、保持部材９に保持される構成であることから、保持部材側に、保持部材に保持させた状態の操作レバー部及び係合部を回動させる機構を設ける場合と比較して、構成を簡便にすることができる。勿論、このような点を考慮しなければ、保持部材側に、保持部材に保持させた状態の操作レバー部及び係合部を回動させる機構を設けるように、構成してもよい。
【００５４】
さらに、実施形態のランドセル１では、ホルダ７２の外周面７４に、ホルダ７２を挿通孔１３に挿通させる際の位置決めとなる突起部７６を、形成し、挿通孔１３の内周面１４に、突起部７６を挿入可能な凹部１６を、形成していることから、装飾部５１（ホルダ７２）が上下や左右を反転された状態では、ホルダ７２を挿通孔１３にうまく挿入させることができず、止め具本体４８を保持部材９に誤組付してしまうことを、容易に防止できる。なお、実施形態では、ホルダの外周面側に突起部を設け、挿通孔の内周面側に凹部を設けているが、このような位置決め用の突起部を、挿通孔の内周面側に設け、他方のホルダの外周面に、突起部を挿入可能な凹部を、設ける構成としてもよい。
【００５５】
さらにまた、実施形態のランドセル１では、係止部材１８が、蓋体６の裏面側に形成される操作片２６ａにより挿通孔１３の内周面１４から出し入れ可能とされるとともに、挿通孔１３にホルダ７２を挿入させた状態で、ホルダ７２に形成される凹部７７に挿入させるように挿通孔１３の内周面１４から突出させることにより、ホルダ７２を係止可能とされる係止片部２５を、備える構成とされている。そのため、実施形態のランドセル１では、係止片部２５を挿通孔１３の内周面１４側に引き込んだ状態で、挿通孔１３にホルダ７２を挿入させ、その後、蓋体６の裏面側に形成される操作片２６ａを操作することにより、係止片部２５を挿通孔１３の内周面１４から引き出して係止片部２５の係止片本体２７を凹部７７に挿入させば、係止片本体２７を凹部７７周縁に係止させれば、止め具本体４８を保持部材９に保持させることができる。また、逆に、操作片２６ａを、係止片部２５を挿通孔１３の内周面１４側に引き込むように操作すれば、係止片本体２７を凹部７７周縁との係止状態を解除することができて、ホルダ７２を保持部材９から取り外すことができる。その結果、実施形態のランドセル１では、止め具本体４８を、保持部材９に容易に着脱させることができる。
【００５６】
さらにまた、実施形態のランドセル１では、係合部６０が、被係合部３７側に突出する突出部６１を、備え、被係合部３７が、突出部６１を挿入可能な凹部３８を、備える構成とされるとともに、突出部６１の先端６１ａ側における外周面６１ｂ側に、係合突起６２が、形成され、凹部３８の内周面３８ａ側に、係合突起６２を係合可能とされるとともに、係合部６０の回動時に係合突起６２との係合を解除可能とされる被係合突起４０が形成される構成である。そして、実施形態のランドセル１では、係合部６０と被係合部３７とが、それぞれ、磁石４５，６９を有する構成とされ、これらの磁石４５，６９が、係合突起６２と被係合突起４０との係合時に、相互に引き合うような磁力を作用させ、係合突起６２と被係合突起４０との係合を解除する方向への操作レバー部４９の回動時に、反発するような磁力を作用させるように、係合部６０と被係合部３７とに配置される構成である。そのため、実施形態のランドセル１では、止め具本体４８側に配置される係合突起６２は、操作レバー部４９を回動させれば、受け座部３０側に配置される被係合突起４０との係合状態を解除されると同時に、両者に配置される磁石４５，５９間に作用する反発力を受けて、受け座部３０側から、離れやすくなる。また、係合突起６２と被係合突起４０とを係合させる際には、係合部６０側に形成される突出部６１を、被係合部３７側に形成される凹部３８内に挿入させれば、止め具本体４８側（係合部６０側）に配置される磁石６９が、受け座部３０側（被係合部３７側）に配置される磁石４５と引き合って、係合部６０及び操作レバー部４９ごと回動されることとなり、このような磁石４５，６９間に生じる相互に引き合うような磁力を利用して、係合部６０と被係合部３７とが、係合突起６２と被係合突起４０とを係合させるようにして、半自動的に相互に係合されることとなる。そのため、実施形態のランドセル１では、止め具本体４８側と受け座部３０側とに配置される磁石４５，６９の磁力を利用して、係合部６０と被係合部３７とを係合若しくは係合解除させる構成であることから、係合部６０と被係合部３７との係合及び係合解除が容易であり、小学校低学年の小さな子供でも楽に操作することができる。
【００５７】
さらにまた、実施形態のランドセル１では、係合突起６２が、操作レバー部４９の回転中心Ｃ１を中心として略対称となる２箇所に、形成されて、それぞれ、突出部６１の円周の略１／４程度の領域に、連続的に形成さるとともに、それぞれ、操作レバー部４９の回転中心軸に沿った断面において、元部側にかけて拡開されるように、外表面６２ａを傾斜されている。また、各被係合突起４０の突起本体４１は、それぞれ、操作レバー部４９の回転中心軸に沿った断面において、内表面４１ａを、各係合突起６２の外表面６２ａに略沿って傾斜させて構成するとともに、付勢手段としてのコイルばね４３によって凹部３８の内周面３８ａから突出するように付勢された状態で、凹部３８の内周面３８ａを凹ませて形成される収納部位３７ａ内に取り付けられる構成である。そのため、実施形態のランドセル１では、操作レバー部４９の回転中心Ｃ１を中心として対称的な位置に配置される２対の係合突起６２及び被係合突起４０によって、係合状態を安定して維持させることができる。また、実施形態のランドセル１では、被係合部３７において、凹部３８の内周面３８ａから突出するように配置される各被係合突起４０の突起本体４１が、コイルばね４３を介して凹部３８の内周面３８ａを凹ませて形成される収納部位３７ａに取り付けられる構成であり、これらの被係合突起４０の突起本体４１を、コイルばね４３の付勢力に抗して押圧させれば、被係合突起４０の突起本体４１を、収納部位３７ａ内に収納させるように移動させることができる。また、この被係合突起４０の突起本体４１の内表面４１ａは、係合部６０に形成される各係合突起６２の外表面６２ａに略沿うように、傾斜して構成されている。そのため、実施形態のランドセル１では、操作レバー部４９が非回動の位置にある状態で、止め具本体４８を受け座部３０側に接近させても、被係合突起４０を、凹部３８内への突出部６１の進入に伴って、係合突起６２によって押圧することにより、収納部位３７ａ内に収納させるように移動させることができて、突出部６１の凹部３８内への挿入が完了すれば、被係合突起４０の突起本体４１が、コイルばね４３を復元させるようにして、凹部３８の内周面３８ａから突出するように復帰し、各係合突起６２に係合されることとなる。すなわち、実施形態のランドセル１では、操作レバー部４９（止め具本体４８）が非回動の位置に配置されている場合でも、操作レバー部４９を回動させずに、単に、止め具本体４８の係合部６０に形成される突出部６１を、受け座部３０の被係合部３７に形成される凹部３８に挿入させるだけで、係合突起６２を被係合突起４０に係合させることができる。また、このとき、係合部６０と被係合部３７とにそれぞれ配置される磁石４５，６９間には、相互に引き合うよう磁力が発生することとなる。そのため、実施形態のランドセル１では、蓋体６の先端側に配置される止め具本体４８を、収納部３側に配置される受け座部３０側に接近させれば、係合部６０及び操作レバー部４９がどのような状態であっても、磁石４５，６９間に生ずる相互に引き合うような磁力により、止め具本体４８が、半自動的に、突出部６１を凹部３８内に挿入させるように移動して、係合突起６２と被係合突起４０とが、半自動的に相互に係合されることとなる。その結果、止め具本体４８の操作性が一層良好となる。
【００５８】
さらにまた、実施形態のランドセル１では、受け座部３０が、鞄本体としての収納部３において後側に配置される後壁４の下端側となるポケット部５の下端５ａ側の部位に、配置され、止め具本体４８が、蓋体６の表面側に、装飾部５１を露出させるように、配置されている。すなわち、実施形態のランドセル１では、使用時にランドセル１を背負った際に、止め具本体４８が、側方から視認可能な位置に、配置されている（図１参照）。そのため、実施形態のランドセル１では、使用時にランドセル１を背負った状態で、装飾部５１が良好に視認できることとなる。その結果、従来のごとく、蓋体の先端から延びる連結片の先端側に、止め具本体を配置させ、この止め具本体を鞄本体の底壁側に止める構成のランドセルと比較して、意匠性が良好となり、装飾部を配置させる効果も、増大することとなる。そして、実施形態のランドセル１では、上述したごとく、止め具本体４８を保持部材９から容易に取り外すことができることから、図３０に示すように、外形形状をリボン形の扁平な立体形状とした異なる装飾部５１Ａを有した止め具本体４８Ａに交換することもできる。そのため、止め具本体を、使用者の好みに応じて容易に交換して、楽しむことでき、長期間使用するランドセルを、飽きずに使用することができる。
【００５９】
なお、実施形態では、ランドセルを例に採り説明しているが、本発明を適用可能な鞄はランドセルに限られるものではなく、大人が使用する普通の鞄に、本発明を適用してもよい。
【符号の説明】
【００６０】
１…ランドセル（鞄）、３…収納部（鞄本体）、４…後壁、５…ポケット部、５ａ…下端、６…蓋体、６ａ…先端（下端）、９…保持部材、１３…挿通孔、１４…内周面、１６…凹部、１８…係止部材、２５…係止片部、２６…収納片部、２６ａ…操作片、２７…係止片本体、２９…蓋止め具、３０…受け座部、３７…被係合部、３８…凹部、４０…被係合突起、４１…突起本体、４１ａ…内表面、４３…コイルばね（付勢手段）、４５…磁石、４８，４８Ａ…止め具本体、４９…操作レバー部、５１，５１Ａ…装飾部、６０…係合部、６１…突出部、６２…係合突起、６２ａ…外表面、６９…磁石、７２…ホルダ、７４…外周面、７６…突起部、７７…凹部。
【要約】
【課題】止め具本体を蓋体から取り外して交換可能な鞄を提供すること。
【解決手段】鞄本体３と、鞄本体３の開口を閉塞可能な蓋体６と、蓋体６を閉じて鞄本体３側に止めるための蓋止め具２９と、を有する鞄１。蓋止め具２９が、蓋体６の先端６ａ側に配置される止め具本体４８を備え、止め具本体４８が、蓋体６の表面に沿って回動可能に蓋体６に保持される操作レバー部４９を備える。蓋体６に、操作レバー部４９を蓋体６に対して回動可能に、止め具本体４８を保持可能な保持部材９が、形成される。止め具本体４８が、保持部材９に対して着脱可能に構成されるとともに、保持部材９への取付時に、蓋体６の表面側に露出される装飾部５１を、備える。
【選択図】図１【図１】
0005731699.tif 000002
【図２】
0005731699.tif 000003
【図３】
0005731699.tif 000004
【図４】
0005731699.tif 000005
【図５】
0005731699.tif 000006
【図６】
0005731699.tif 000007
【図７】
0005731699.tif 000008
【図８】
0005731699.tif 000009
【図９】
0005731699.tif 000010
【図１０】
0005731699.tif 000011
【図１１】
0005731699.tif 000012
【図１２】
0005731699.tif 000013
【図１３】
0005731699.tif 000014
【図１４】
0005731699.tif 000015
【図１５】
0005731699.tif 000016
【図１６】
0005731699.tif 000017
【図１７】
0005731699.tif 000018
【図１８】
0005731699.tif 000019
【図１９】
0005731699.tif 000020
【図２０】
0005731699.tif 000021
【図２１】
0005731699.tif 000022
【図２２】
0005731699.tif 000023
【図２３】
0005731699.tif 000024
【図２４】
0005731699.tif 000025
【図２５】
0005731699.tif 000026
【図２６】
0005731699.tif 000027
【図２７】
0005731699.tif 000028
【図２８】
0005731699.tif 000029
【図２９】
0005731699.tif 000030
【図３０】
0005731699.tif 000031